(57)【要約】  本発明は組み合わせ締め付け装置連結部品を提供し、前記連結部品には内層、外層があり、前記内層は金属ワイヤーで螺旋状多層体を形成し、かつ両側にはフランジを有し、中間は水平に加工する。外層は非金属の弾性または軟性材料で製造し、内層の外に被せ、内層隙間に充填する。前記連結部品は硬質非金属材料で製造される組み合わせ部品に適用する。前記組み合わせ部品は連結部の外部には溝を有し、フランジと組み合わせ部品溝の相互の噛み合いにより二つの組み合わせ部品を締め付け、例えば繊維強化プラスチック、プラスチックのロータリー成形、射出、ブロー成形で製造される組み合わせ部品。前記連結部品は組み合わせ、取り外し安く、締めつけが緊密であり、重量が軽く、製品コストが低い利点を有する。
2016508204.tif 000002
【特許請求の範囲】
【請求項１】
本発明は組み合わせ締め付け装置連結部品を提供し、前記連結部品は縦方向に帯状のようであり、横方向断面両側にはフランジがあり、中間は水平で、前記連結部品は内層、外層を有し、前記内層は金属ワイヤー、または条状体を採用して回して螺旋状多層体を形成し、かつ両側にはフランジがあり、中間は水平に加工され、前記外層は非金属弾性または軟性材料で製造され、内層の外に被せ、内層隙間のうちに充填し、前記連結部品は硬質非金属材料で製造される組み合わせ部品に適用し、前記組み合わせ部品は連結所の外部には溝を有し、フランジと組み合わせ部品溝の相互の噛み合いにより二つの組み合わせ部品を締め付けて組み合わせ部品を組成する。
【請求項２】
請求項１による前記組み合わせ締め付け装置連結部品は、前記連結部品内層にはまた金属帯状を採用して切削、プレス、鋸で螺旋状類似の多層体に加工することができる。
【請求項３】
請求項１による前記組み合わせ締め付け装置連結部品は、前記連結部品外層はまた内層の外に嵌着することができる。
【請求項４】
請求項１による前記組み合わせ締め付け装置連結部品は、前記連結部品縦方向中間平行部分には、外層と内層間にまた縦方向に沿って金属ワイヤーを置くことができる。
【請求項５】
請求項１による前記組み合わせ締め付け装置連結部品は、前記連結部品の内層、外層はまた単独で連結部品として使用でき、また内層外、部分的に外層を被せ連結部品として使用することができる。
【発明の詳細な説明】
【技術分野】
【０００１】
技術分野：
【０００２】
本発明は組み合わせ締めつけ装置連結部品に関し、前記連結部品は縦方向断面両側にはフランジがあり、中間は水平で、前記連結部品は硬質非金属材料で製造される組み合わせ部品に適用し、前記組み合わせ部品の連結所の外部には溝があり、前記連結部品はフランジと組み合わせ部品溝の相互の噛み合いにより二つの組み合わせ部品を締め付けて連結する。
【背景技術】
【０００３】
背景技術：
【０００４】
硬質非金属材料で製造される組合部品を採用する：例えば繊維強化プラスチック、例えばロータリー成形、射出、ブロー成形製品。前記組み合わせ部品の連結所の外部には溝があり、連結部品は一般的に組み合わせ部品と同じ材料または金属材料で製造され、前記連結部品縦方向断面両側にはフランジがあり、中間は水平であり、フランジと組み合わせ部品溝の相互の噛み合いにより二つの組み合わせ部品を締め付けて連結する。繊維強化プラスチックは一般的に手で制作するから、組み合わせ部品溝の精度が悪く、ロータリー成形、射出、ブロー成形製品の熱可塑性製品は型抜きした後変形があるから、組み合わせ部品溝の精度が悪く、連結部品の噛み合いを難しくさせ、もし連結部品の公差を大きくすれば二つの組み合わせ部品間の隙間を大きくさせ、緊密に締め付けることができない。
【０００５】
発明内容：
【０００６】
解決する技術問題：本発明は組み合わせ部品溝精度が悪い問題に適用する連結部品を提供し、前記連結部品は縦方向で折りやすく、両側のフランジは変形でき、帯状体は横方向で折れ防止力が強く、引張り防止力が強い連結部品である。
【０００７】
本発明は組み合わせ締め付け装置連結部品を提供し、前記連結部品は縦方向に帯状のようであり、横方向断面両側にはフランジがあり、中間は水平で、前記連結部品は内層、外層を有し、前記内層は金属ワイヤー、または条状体を採用して回して螺旋状多層体を形成し、両側にはフランジがあり、中間は水平に加工され、前記外層は非金属弾性または軟性材料で製造され、内層の外に被せ、内層隙間のうちに充填し、前記連結部品は硬質非金属材料で製造される組み合わせ部品に適用し、前記組み合わせ部品は連結所の外部には溝を有し、フランジと組み合わせ部品溝の相互の噛み合いにより二つの組み合わせ部品を締め付けて組み合わせ部品を組成する。
【０００８】
前記連結部品内層にはまた金属帯状を採用して切削、プレス、鋸で螺旋状類似の多層体に加工することができる。
【０００９】
前記連結部品外層はまた内層の外に嵌着することができる。
【００１０】
前記連結部品縦方向中間平行部分には、外層と内層間にまた縦方向に沿って金属ワイヤーを置くことができる。
【００１１】
前記連結部品の内層、外層はまた単独で連結部品として使用でき、また内層外、部分的に外層を被せ連結部品として使用することができる。
【００１２】
本発明の優越性：
【００１３】
組み合わせと取り外すことが容易である：本発明の連結部品の外層は軟体であって、そのため、噛み合うことと取り出すことが容易である。
【００１４】
重量を減少する：本発明の連結部品の外層は弾性または軟性材料であり、金属または繊維強化プラスチックで製造される連結部品より軽い。
【００１５】
組み合わせの隙間を減少する：本発明の連結部品の外層は弾性または軟性材料であり、組み合わせ部品の溝と緊密に結合する。
【００１６】
生産コストを減少する：本発明の連結部品は縦方向で折りやすく、同じ溝と同じ連結間隔で、異なる形状の組み合わせ部品に適用でき、異なる形状に対して型を作成する必要がない。
【図面の簡単な説明】
【００１７】
図面の説明：図１は組み合わせ締め付け装置連結部品の断面図である。
【００１８】
図２は組み合わせ締め付け装置連結部品の内層立体図である。
【００１９】
図３は組み合わせ締め付け装置連結部品の外層立体図である。
【００２０】
図４は組み合わせ締め付け装置連結部品の外層嵌着立体図である。
【００２１】
図面の内：
【００２２】
１、外層非金属の弾性または軟性材料である
【００２３】
２、内層はばね鋼ワイヤーである。
【００２４】
具体的な実施方案：
【００２５】
以下には図面を結合して本発明について詳細説明する：
【００２６】
図面一から四までに示すように、本発明は組み合わせ締め付け装置連結部品を提供し、前記連結部品は縦方向で帯状のようであり、横方向断面の両側にはフランジがあり、中間は水平である。前記連結部品は内層、外層を有する。前記内層はバネ鋼ワイヤー２を有し、また金属棒、金属条形体を採用して螺旋状多層体を形成してもよく、かつ両側にはフランジがあり、中間は水平に加工することができる。前記内層はまた金属状体を採用して切削、プレス、鋸などの方式で両側にはフランジを有し、中間が水平で、螺旋体に類似する多層体機能の内層に加工することができる；前記外層は非金属の弾性または軟性材料１である、ナイロン、ゴム類材料で製造することができ、内層の外に被せ、内層の隙間の間に充填する。前記連結部品の外層はまた単独で内層の外部に嵌着することができる。前記連結部品の縦方向の中間平行の部分で、外層と内層の間にまた縦方向に沿って金属ワイヤーを置くことができ、前記連結部品の内層、外層はまた単独で連結部品として使用することができ、また内層の外、部分的に外層を被せて連結部品として使用してもよい。
【００２７】
前記連結部品は硬質非金属材料で製造される組み合わせ部品に適用し、例えば手工で塗りつける繊維強化プラスチック多段組み合わせ船、ボート、ロータリー成形、射出、ブロー成形で製造される多段組み合わせ船、ボート、具体的に言うと：例えば組み合わせ多段カヌー、前記組み合わせ船、ボートのハウジングの外周の連結部の外部には溝を有し、フランジと組み合わせ部品溝の相互の噛み合いにより二つの組み合わせ部品を締め付け連結し、本発明の連結部品に適用する。
【００２８】
本発明は：硬質非金属材料で製造される外周連結部外部に溝がある組み合わせ部品に適用する。
【図１】
2016508204.tif 000003
【図２】
2016508204.tif 000004
【図３】
2016508204.tif 000005
【図４】
2016508204.tif 000006
【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
本発明は組み合わせ締め付け装置連結部品を提供し、前記連結部品は縦方向に帯状のようであり、横方向断面両側には三角形フランジがあり、中間は水平で、前記連結部品は内層、外層を有し、前記内層は金属ワイヤー、または条状体を採用して回して螺旋状多層体を形成し、かつ両側には三角形フランジがあり、中間は水平に加工され、前記外層は非金属弾性または軟性材料で製造され、内層の外に被せ、内層隙間のうちに充填し、前記連結部品は硬質非金属材料で製造される組み合わせ部品に適用し、前記組み合わせ部品は連結所の外部には相応の三角形溝を有し、フランジと組み合わせ部品溝の相互の噛み合いにより二つの組み合わせ部品を締め付けて組み合わせ部品を組成する。
【請求項２】
請求項１による前記組み合わせ締め付け装置連結部品は、前記連結部品内層にはまた金属帯状を採用して切削、プレス、鋸で螺旋状類似の多層体に加工することができる。
【請求項３】
請求項１による前記組み合わせ締め付け装置連結部品は、前記連結部品外層はまた内層の外に嵌着することができる。
【請求項４】
請求項１による前記組み合わせ締め付け装置連結部品は、前記連結部品縦方向中間平行部分には、外層と内層間にまた縦方向に沿って金属ワイヤーを置くことができる。
【請求項５】
請求項１による前記組み合わせ締め付け装置連結部品は、前記連結部品の内層はまた単独で連結部品として使用でき、また内層外、部分的に外層を被せ連結部品として使用することができる。
【手続補正２】
【補正対象書類名】明細書
【補正対象項目名】全文
【補正方法】変更
【補正の内容】
【発明の詳細な説明】
【技術分野】
【０００１】
技術分野：
【０００２】
本発明は組み合わせ締めつけ装置連結部品に関し、前記連結部品は縦方向断面両側にはフランジがあり、中間は水平で、前記連結部品は硬質非金属材料で製造される組み合わせ部品に適用し、前記組み合わせ部品の連結所の外部には溝があり、前記連結部品はフランジと組み合わせ部品溝の相互の噛み合いにより二つの組み合わせ部品を締め付けて連結する。
【背景技術】
【０００３】
背景技術：
【０００４】
硬質非金属材料で製造される組合部品を採用する：例えば繊維強化プラスチック、例えばロータリー成形、射出、ブロー成形製品。前記組み合わせ部品の連結所の外部には溝があり、連結部品は一般的に組み合わせ部品と同じ材料または金属材料で製造され、前記連結部品縦方向断面両側にはフランジがあり、中間は水平であり、フランジと組み合わせ部品溝の相互の噛み合いにより二つの組み合わせ部品を締め付けて連結する。繊維強化プラスチックは一般的に手で制作するから、組み合わせ部品溝の精度が悪く、ロータリー成形、射出、ブロー成形製品の熱可塑性製品は型抜きした後変形があるから、組み合わせ部品溝の精度が悪く、連結部品の噛み合いを難しくさせ、もし連結部品の公差を大きくすれば二つの組み合わせ部品間の隙間を大きくさせ、緊密に締め付けることができない。
【０００５】
発明内容：
【０００６】
解決する技術問題：本発明は組み合わせ部品溝精度が悪い問題に適用する連結部品を提供し、前記連結部品は縦方向で折りやすく、両側のフランジは変形でき、帯状体は横方向で折れ防止力が強く、引張り防止力が強い連結部品である。
【０００７】
本発明は組み合わせ締め付け装置連結部品を提供し、前記連結部品は縦方向に帯状のようであり、横方向断面両側には三角形フランジがあり、中間は水平で、前記連結部品は内層、外層を有し、前記内層は金属ワイヤー、または条状体を採用して回して螺旋状多層体を形成し、かつ両側には三角形フランジがあり、中間は水平に加工され、前記外層は非金属弾性または軟性材料で製造され、内層の外に被せ、内層隙間のうちに充填し、前記連結部品は硬質非金属材料で製造される組み合わせ部品に適用し、前記組み合わせ部品は連結所の外部には相応の三角形溝を有し、フランジと組み合わせ部品溝の相互の噛み合いにより二つの組み合わせ部品を締め付けて組み合わせ部品を組成する。
【０００８】
前記連結部品内層にはまた金属帯状を採用して切削、プレス、鋸で螺旋状類似の多層体に加工することができる。
【０００９】
前記連結部品外層はまた内層の外に嵌着することができる。
【００１０】
前記連結部品縦方向中間平行部分には、外層と内層間にまた縦方向に沿って金属ワイヤーを置くことができる。
【００１１】
前記連結部品の内層はまた単独で連結部品として使用でき、また内層外、部分的に外層を被せ連結部品として使用することができる。
【００１２】
本発明の優越性：
【００１３】
組み合わせと取り外すことが容易である：本発明の連結部品の外層は軟体であって、そのため、噛み合うことと取り出すことが容易である。
【００１４】
重量を減少する：本発明の連結部品の外層は弾性または軟性材料であり、金属または繊維強化プラスチックで製造される連結部品より軽い。
【００１５】
組み合わせの隙間を減少する：本発明の連結部品の外層は弾性または軟性材料であり、組み合わせ部品の溝と緊密に結合する。
【００１６】
生産コストを減少する：本発明の連結部品は縦方向で折りやすく、同じ溝と同じ連結間隔で、異なる形状の組み合わせ部品に適用でき、異なる形状に対して型を作成する必要がない。
【図面の簡単な説明】
【００１７】
図面の説明：図１は組み合わせ締め付け装置連結部品の断面図である。
【００１８】
図２は組み合わせ締め付け装置連結部品の内層立体図である。
【００１９】
図３は組み合わせ締め付け装置連結部品の外層立体図である。
【００２０】
図４は組み合わせ締め付け装置連結部品の外層嵌着立体図である。
【００２１】
図面の内：
【００２２】
１、外層非金属の弾性または軟性材料である
【００２３】
２、内層はばね鋼ワイヤーである。
【００２４】
具体的な実施方案：
【００２５】
以下には図面を結合して本発明について詳細説明する：
【００２６】
図面一から四までに示すように、本発明は組み合わせ締め付け装置連結部品を提供し、前記連結部品は縦方向で帯状のようであり、横方向断面の両側にはフランジがあり、中間は水平である。前記連結部品は内層、外層を有する。前記内層はバネ鋼ワイヤー２を有し、また金属棒、金属条形体を採用して螺旋状多層体を形成してもよく、かつ両側には三角形フランジがあり、中間は水平に加工することができる。前記内層はまた金属状体を採用して切削、プレス、鋸などの方式で両側にはフランジを有し、中間が水平で、螺旋体に類似する多層体機能の内層に加工することができる；前記外層は非金属の弾性または軟性材料１である、ナイロン、ゴム類材料で製造することができ、内層の外に被せ、内層の隙間の間に充填する。前記連結部品の外層はまた単独で内層の外部に嵌着することができる。前記連結部品の縦方向の中間平行の部分で、外層と内層の間にまた縦方向に沿って金属ワイヤーを置くことができ、前記連結部品の内層はまた単独で連結部品として使用することができ、また内層の外、部分的に外層を被せて連結部品として使用してもよい。
【００２７】
前記連結部品は硬質非金属材料で製造される組み合わせ部品に適用し、例えば手工で塗りつける繊維強化プラスチック多段組み合わせ船、ボート、ロータリー成形、射出、ブロー成形で製造される多段組み合わせ船、ボート、具体的に言うと：例えば組み合わせ多段カヌー、前記組み合わせ船、ボートのハウジングの外周の連結部の外部には相応の三角形溝を有し、フランジと組み合わせ部品溝の相互の噛み合いにより二つの組み合わせ部品を締め付け連結し、本発明の連結部品に適用する。
【００２８】
本発明は：硬質非金属材料で製造される外周連結部外部に溝がある組み合わせ部品に適用する。
【国際調査報告】
2016508204.tif 000007
2016508204.tif 000008
2016508204.tif 000009
2016508204.tif 000010
2016508204.tif 000011
2016508204.tif 000012